(57)【特許請求の範囲】
【請求項１】
基板ケース（３４）内に、電気部品（４０）（４１）が装着された基板（３３）を収納してなる遊技機において、前記基板ケース（３４）は、前記基板（３３）の一端側に対応する開口部（３７）が形成された箱状のケース本体（３８）と、該ケース本体（３８）の前記開口部（３７）側に着脱自在に装着されたケース蓋（３９）とを備え、前記開口部（３７）から前記ケース本体（３８）にその板面方向に挿入される前記基板（３３）にコネクタ（４１）を設け、前記ケース本体（３８）に、該ケース本体（３８）内の前記基板（３３）の前記コネクタ（４１）が前記基板（３３）の板厚方向から嵌脱自在に嵌合する開口（５０）を設け、前記ケース本体（３８）内に、前記基板（３３）の挿入時に該基板（３３）の裏側に対向する裏板部（４３）から該基板（３３）を離間させて案内する案内部（５２）と、前記ケース本体（３８）内に挿入された前記基板（３３）の前記開口部（３７）と反対側の端部を挟んで固定する挟持部（５３）と、前記案内部（５２）と前記挟持部（５３）との間に配置され且つ前記基板（３３）の挿入時に前記コネクタ（４１）が前記開口（５０）に嵌合するように前記基板（３３）の前記反対側の端部を前記挟持部（５３）へと案内する傾斜案内部（５４）とを設け、前記ケース蓋（３９）に、該ケース蓋（３９）の前記ケース本体（３８）への装着時に前記基板（３３）の端部を挟んで前記コネクタ（４１）が前記開口（５０）に嵌合した状態で前記基板（３３）を固定する保持部（５７ａ）を設けたことを特徴とする遊技機。
【請求項２】
前記裏板部（４３）の基板挿入方向と直交する方向の両端部に前記案内部（５２）を前記基板挿入方向にリブ状に設けたことを特徴とする請求項１に記載の遊技機。
【請求項３】
前記ケース本体（３８）の前記基板（３３）の表側に対向する表板部（４２）に、前記基板（３３）との間に前記電気部品（４０）の収納空間を形成する突出部（４７）と、該突出部（４７）よりも低く内側から前記基板（３３）が当接する段部（４８）とを形成し、前記段部（４８）に前記開口（５０）を形成したことを特徴とする請求項１又は２に記載の遊技機。
【請求項４】
前記ケース本体（３８）と前記ケース蓋（３９）との一方に被係合部（６０）を、他方に、前記ケース本体（３８）に前記ケース蓋（３９）を装着したときに前記被係合部（６０）に係合する係合部（６１）を夫々設けたことを特徴とする請求項１〜３の何れかに記載の遊技機。
【請求項５】
前記ケース本体（３８）と前記ケース蓋（３９）との一方に位置決め凸部（６３）を、他方に、前記ケース本体（３８）に前記ケース蓋（３９）を装着したときに前記位置決め凸部（６３）が係合する位置決め凹部（６２）を夫々設けたことを特徴とする請求項１〜３の何れかに記載の遊技機。
【請求項６】
前記ケース本体（３８）と前記ケース蓋（３９）とを封止ピン（６７）により封止したことを特徴とする請求項１〜５の何れかに記載の遊技機。
【発明の詳細な説明】
【０００１】
【発明の属する技術分野】
本発明は、パチンコ機、アレンジボール機、雀球遊技機、回動式遊技機等の遊技機、取り分けその基板ケースの構造に関するものである。
【０００２】
【従来の技術】
パチンコ機等の弾球遊技機では、遊技機本体の裏側に、基板ケースに収納された電源基板、主制御基板、払い出し制御基板、音声制御基板、ランプ制御基板等を設けている。
【０００３】
従来の基板ケースは、表板部を含むケース本体と、裏板部を含むケース蓋とに分割され、ケース本体の表板部と相対向する側に、基板の大きさ以上の開口部が形成されている。そして、基板を組み込む際には、ケース本体とケース蓋とを分離して、そのケース本体の開口部側からケース本体内に基板を板厚方向に挿脱自在に挿入してから、ケース本体の開口部側にケース蓋を装着して、ケース本体とケース蓋とによって基板を板厚方向の両側から挟んで固定するか、又はケース本体内にネジ等で基板を固定して、その後にケース本体の開口部側をケース蓋で塞ぐようにしている。
【０００４】
【発明が解決しようとする課題】
従来の基板ケースは、ケース本体に対して基板をその板厚方向に挿入する構造であるため、ケース本体にその表板部に対応して大きな開口部を形成する必要があり、しかもケース蓋もその大きな開口部を塞ぐだけの大きさにする必要がある。
【０００５】
このため従来の基板ケースでは、構造的にケース本体及びケース蓋の剛性が低下し、耐久性に欠ける問題がある。特に偏平状の基板ケースの場合には、ケース蓋は勿論のこと、ケース本体も偏平状になり、その偏平状のケース本体に大きな開口部を形成することになるため、その剛性が非常に大きな問題となる。
【０００６】
またパチンコ機等の弾球遊技機で使用する基板ケースでは、不正行為を防止するためにも開口部の大きさを極力小さくすることが望ましい。しかし、従来の基板ケースでは、ケース本体側の開口部が非常に大きくなるため、不正行為を招き易い等の問題もある。
【０００７】
本発明は、このような従来の問題点に鑑み、ケース本体側の開口部を小さくできると共に、基板の挿入時にその裏側に突出する電気部品のピン等の突起がケース本体に接触することもなく、基板をケース本体に容易に挿入できるようにすることを目的とする。
【０００８】
【課題を解決するための手段】
本発明は、基板ケース３４内に、電気部品４０，４１が装着された基板３３を収納してなる遊技機において、前記基板ケース３４は、前記基板３３の一端側に対応する開口部３７が形成された箱状のケース本体３８と、該ケース本体３８の前記開口部３７側に着脱自在に装着されたケース蓋３９とを備え、前記開口部３７から前記ケース本体３８にその板面方向に挿入される前記基板３３にコネクタ４１を設け、前記ケース本体３８に、該ケース本体３８内の前記基板３３の前記コネクタ４１が前記基板３３の板厚方向から嵌脱自在に嵌合する開口５０を設け、前記ケース本体３８内に、前記基板３３の挿入時に該基板３３の裏側に対向する裏板部４３から該基板３３を離間させて案内する案内部５２と、前記ケース本体３８内に挿入された前記基板３３の前記開口部３７と反対側の端部を挟んで固定する挟持部５３と、前記案内部５２と前記挟持部５３との間に配置され且つ前記基板３３の挿入時に前記コネクタ４１が前記開口５０に嵌合するように前記基板３３の前記反対側の端部を案内する傾斜案内部５４とを設け、前記ケース蓋３９に、該ケース蓋３９の前記ケース本体３８への装着時に前記基板３３の端部を挟んでコネクタ４１が前記開口５０に嵌合した状態で前記基板３３を固定する保持部５７ａを設けたものである。
【０００９】
【発明の実施の形態】
以下、本発明の実施形態を図面に基づいて説明する。図１〜図９はパチンコ機等の弾球遊技機に採用した第１の実施形態を例示する。図１及び図２において、１は遊技機本体で、外枠２と、この外枠２に開閉自在に枢着された前枠３とを有する。前枠３には、その窓孔に対応して遊技盤４が裏側から着脱自在に装着され、また遊技盤４の前側にガラス扉５と前面板６とが開閉自在に配置されている。
【００１０】
前面板６には、発射用の遊技球を貯留する上皿７が装着されている。前枠３の下部には、余剰球を貯留する下皿８と、発射手段９の発射ハンドル１０とが設けられている。発射手段９は上皿７から供給される遊技球を遊技盤４の遊技領域１１へと発射するためのものである。
【００１１】
遊技盤４には、ガイドレール１２が環状に装着されると共に、そのガイドレール１２の内側の遊技領域１１に特別図柄表示手段１２ａ、普通図柄表示手段１３、特別図柄始動手段１４、普通図柄始動手段１５、可変入賞手段１６等の複数個の遊技部品が配置されている。
【００１２】
前枠３の裏側には、図２に示すように、遊技盤４を裏側から押さえる裏機構板１７が開閉自在に装着されている。裏機構板１７には、遊技盤４の裏側の裏カバー１８が嵌合する開口部１９が形成され、その上側に遊技球タンク２０、タンクレール２１が、左右方向の一側に払い出し手段２２が、下側に通路ユニット２３が夫々設けられている。
【００１３】
遊技球タンク２０は、遊技球補給系から補給された遊技球を貯留して、タンクレール２１を経て払い出し手段２２側へと供給するためのものである。払い出し手段２２は、賞球の払い出し指令等があったときに、遊技球タンク２０からタンクレール２１を経て供給される遊技球を払い出すためのもので、裏機構板１７の裏側に着脱自在に装着されている。通路ユニット２３は、払い出し手段２２により払い出された遊技球を上皿７へと案内し、また上皿７の遊技球が満杯状態のときに、余剰球を下皿８へと案内するようになっている。
【００１４】
裏カバー１８は、遊技盤４に装着された特別図柄表示手段１２ａ等の複数の遊技部品を裏側から覆うためのもので、遊技盤４に着脱自在に固定されている。裏カバー１８には、主制御基板２４を収納する主制御基板ケース２５と、ランプ制御基板２６を収納するランプ制御基板ケース２７と、音声制御基板２８を収納する音声制御基板ケース２９とが着脱自在に装着されている。
【００１５】
通路ユニット２３の裏側には、左右方向にケース取り付け板３０が装着され、このケース取り付け板３０の裏側に、払い出し制御基板３１を収納する払い出し制御基板ケース３２と、電源基板３３を収納する電源基板ケース３４とが左右に配置されている。払い出し制御基板ケース３２と電源基板ケース３４は、左右方向の一端側からケース取り付け板３０の上下一対の案内部３５間に摺動自在に挿入され、ケース取り付け板３０側の他端側のストッパー部（図示省略）と他端側の係止爪３６との間で着脱自在に固定されている。
【００１６】
電源基板ケース３４は、図３〜図８に示すように全体として略矩形状の偏平箱状であって、電源基板３３の一端側に対応する開口部３７が形成された偏平な箱状のケース本体３８と、このケース本体３８の開口部３７側に着脱自在に装着されたケース蓋３９とを備え、電源基板３３が開口部３７側からケース本体３８内にその板面方向に挿脱自在に挿入されている。なお、主制御基板ケース２５、ランプ制御基板ケース２７、音声制御基板ケース２９、払い出し制御基板ケース３２も、電源基板ケース３４と略同様に構成されている。
【００１７】
電源基板３３は矩形状であって、中央部分にトランス、トランジスタ、ＩＣ、その他の比較的大型の電気部品４０が装着され、周縁部分にその端縁に沿ってコネクタ（電気部品）４１が装着されている。この実施形態では、コネクタ４１は、電源基板３３の挿入方向と直交する方向の両端部に、その端縁に沿って１個又は複数個設けられている。なお、コネクタ４１は、電源基板３３の挿入方向と直交する方向の両端部の内、その一方に配置しても良いし、また開口部３７と反対側の端部に配置しても良い。
【００１８】
ケース本体３８は、電源基板３３の表裏両側に対応する表板部４２及び裏板部４３と、この表板部４２及び裏板部４３を連結する三方の周壁部４４，４５とを一体に備え、内部を透視可能な透明又は着色透明の合成樹脂材料によって一体に成型されている。裏板部４３は電源基板３３と略平行になっている。
【００１９】
表板部４２には、その内部の電源基板３３との間に、電気部品４０の収容空間を確保できるように表側に突出する台形状の突出部４７が形成されると共に、開口部３７側を除く周縁部分に突出部４７よりも低い段部４８，４９が端縁に沿って形成されている。段部４８，４９は、表板部４２の三方の周縁部分に、内側から電源基板３３の周縁部が当接するように形成され、また段部４８に電源基板３３のコネクタ４１が内側から嵌脱自在に嵌合する開口５０が各コネクタ４１に対応して形成されている。なお、突出部４７には、放熱用の小孔５１が多数形成されている。
【００２０】
なお、この実施形態では、表板部４２の三方の周縁部分に段部４８，４９が形成されているが、電源基板３３側の各コネクタ４１に対応して少なくとも電源基板３３の挿脱方向と直交する方向の両側に段部４８があれば十分である。
【００２１】
ケース本体３８の開口部３７は略凸字状に開口しており、この開口部３７側で電源基板３３を段部４８よりも裏板部４３側の相対向する一対の両周壁部４４間に合わせた後、その裏板部４３に沿って板面方向に挿脱自在に挿入するようになっている。
【００２２】
ケース本体３８内には、電源基板３３の挿入時に、この電源基板３３をその裏側に対向する裏板部４３から離間させた状態で摺動自在に案内する一対の案内部５２が一体に設けられている。この案内部５２は、電源基板３３の挿入方向と直交する方向の両端部において、裏板部４３から段部４８側に突出するように電源基板３３の挿入方向にリブ状に設けられている。なお、案内部５２の高さは、電源基板３３の挿入時にコネクタ４１が段部４８側に接触せず、しかも電源基板３３の裏側に突出するコネクタ４１等の端子ピン４１ａが裏板部４３に接触しない程度になっている。
【００２３】
ケース本体３８内の開口部３７と反対側には、電源基板３３の端部を開口部３７と反対側の段部４９との間で挟んで固定するための挟持部５３が設けられている。この挟持部５３は案内部５２に一体に設けられ、また挟持部５３と案内部５２との間には、電源基板３３の端部を挟持部５３側へと摺動自在に案内する傾斜案内部５４が設けられている。
【００２４】
なお、挟持部５３は、段部４８又は周壁部４５側の受け部との間で電源基板３３を挟持するようにしても良い。案内部５２は、周壁部４４との間に所定の間隔をおいて設けられている。また案内部５２は周壁部４４に近接させて一体に設けても良いし、周壁部４４に設けても良い。挟持部５３は、開口部３７と反対側の周壁部４５に設けても良い。
【００２５】
ケース蓋３９は、開口部３７を形成するケース本体３８の表板部４２、裏板部４３及び一対の周壁部４４間に摺接するように、ケース本体３８の開口部３７側の形状に合わせて略凸字状に構成された嵌合部５５と、この嵌合部５５の外端側の端板部５６とを一体に備え、ケース本体３８の開口部３７側に嵌脱自在に嵌合されている。なお、ケース蓋３９は、ケース本体３８と同様、内部を透視可能な透明又は着色透明の合成樹脂材料によって一体に成型されている。
【００２６】
ケース蓋３９内には、このケース蓋３９をケース本体３８の開口部３７に嵌合したときに、電源基板３３の表側がケース本体３８の段部４８に沿って当接するように、その段部４８との間で電源基板３３を挟んで固定状に保持するための保持部５７ａが一体に設けられている。この保持部５７ａは、電源基板３３の挿入方向と直交する方向の両端部に、ケース蓋３９の側壁５５ａの内側に一体に形成され、ケース本体３８の周壁部４４と案内部５２との間に挿脱自在になっている。
【００２７】
なお、保持部５７ａは、ケース蓋３９からケース本体３８内に突出しない程度の長さであるが、ケース蓋３９からケース本体３８内に突出させて、ケース蓋３９をケース本体３８の開口部３７に嵌合したときに、コネクタ４１の裏側に対応する程度の長さにすれば、コネクタ４１に外部コネクタを接続するときに、電源基板３３にかかる加重を保持部５７ａで担持することも可能である。
【００２８】
また保持部５７ａは、電源基板３３側のコネクタ４１の端子ピン４１ａ等の突起と干渉しない位置であれば、両案内部５２の内側となるように配置しても良い。更に保持部５７ａが長い場合には、ケース蓋３９にネジ、係止構造を介して着脱自在に固定しても良い。
【００２９】
ケース本体３８の開口部３７側の端部とケース蓋３９の嵌合部５５には、その段部４８側の両端部に固定孔５７，５８が形成され、この固定孔５７，５８に螺合するネジ５９により、ケース蓋３９がケース本体３８に嵌合した状態で両者を着脱自在に固定するようになっている。なお、固定孔５７，５８は、突出部４７の両側に設けられている。
【００３０】
電源基板ケース３４内に電源基板３３を組み込む場合には、先ずケース本体３８とケース蓋３９とを分離し、ケース本体３８の開口部３７側の一対の周壁部４４間に電源基板３３の先端側を入れて、図９に示すように電源基板３３の裏側を各案内部５２上に載せ、その状態で電源基板３３を案内部５２に沿ってケース本体３８内へとａ矢示方向に挿入する。
【００３１】
このようにすれば、電源基板３３の表側の電気部品、コネクタ４１等がケース本体３８の表板部４２側に接触したり、電源基板３３から裏側に突出する端子ピン４１ａ等の突起が裏板部４３側に接触したりすることがなく、電源基板３３を容易にケース本体３８内へと挿入することができる。
【００３２】
電源基板３３を案内部５２に沿ってケース本体３８内に挿入すると、その先端側が傾斜案内部５４に沿って挟持部５３側へと案内されて行き、この挟持部５３とケース本体３８の段部４９との間で挟持される。この状態で電源基板３３は図９に仮想線で示すようにケース本体３８内で傾斜状になり、コネクタ４１の一部が段部４８側の開口５０に嵌合する。
【００３３】
次に電源基板３３の後端部の裏側に保持部５７ａの先端を合わせて、その保持部５７ａで電源基板３３の後端側を段部４８側へと持ち上げると、電源基板３３のコネクタ４１が開口５０に嵌合して段部４８の外側に突出する。そして、その状態でケース蓋３９をケース本体３８の開口部３７に合わせて、このケース蓋３９をケース本体３８に嵌め込んで、ケース蓋３９によってケース本体３８の開口部３７を塞ぎ、その後、ネジ５９でケース蓋３９をケース本体３８に固定する。これによって、ケース本体３８内の電源基板３３をその段部４８，４９と挟持部５３及び保持部５７ａとの間で表裏両側から挟んで固定できる。
【００３４】
この実施形態では、偏平な箱状のケース本体３８の一端側に開口部３７を形成し、その開口部３７側から電源基板３３をその板面方向に挿脱自在に挿入することにより、ケース本体３８の開口部３７を小さくでき、ケース本体３８及びケース蓋３９の剛性を容易に確保でき、その剛性が向上する。また開口部３７を小さくできるため、不正行為等に対する対策も容易に講じることが可能である。
【００３５】
またケース本体３８内には、電源基板３３を裏板部４３から離間させた状態で挿入方向に案内する案内部５２があるため、電源基板３３の裏側の端子ピン４１ａ等の突起が裏板部４３と干渉するようなこともなく、電源基板３３をケース本体３８内に容易に挿入できる。しかも、ケース本体３８の開口部３７にケース蓋３９を装着すれば、ケース本体３８内で電源基板３３を固定できるので、ケース本体３８内での電源基板３３の固定も容易にできる。更にケース蓋３９を装着することによって、電源基板３３のコネクタ４１をケース本体３８側の開口５０に嵌合させることができるため、予めコネクタ４１を開口５０に嵌合させておく必要もない。
【００３６】
図１０及び図１１は本発明の第２の実施形態を例示する。この実施形態では、ケース本体３８に、その表板部４２等の開口部３７側の端部に孔状の被係合部６０が形成され、ケース蓋３９に、このケース蓋３９をケース本体３８の開口部３７側に嵌合させたときに、ケース本体３８の被係合部６０側に係脱自在に係合する爪状の係合部６１が形成されている。他の構成は、第１の実施形態と同じである。
【００３７】
この場合には、ケース蓋３９をケース本体３８の開口部３７に嵌合させると、ケース蓋３９の係合部６１がケース本体３８の被係合部６０に内側から係合し、これによってケース蓋３９をケース本体３８に固定できる。なお、被係合部６０、係合部６１は１個でも良いし、複数個でも良い。またケース本体３８側に係合部６１を設け、ケース蓋３９側に被係合部６０を設けても良い。
【００３８】
図１２及び図１３は本発明の第３の実施形態を例示する。この実施形態では、ケース本体３８に、その表板部４２等の開口部３７側の端部に孔状の位置決め凹部６２が形成され、ケース蓋３９に、このケース蓋３９をケース本体３８の開口部３７側に嵌合させたときに、ケース本体３８の被係合部６０側に係脱自在に係合する位置決め凸部６３が形成されている。他の構成は、第１の実施形態と同じである。
【００３９】
この場合には、ケース蓋３９をケース本体３８の開口部３７に嵌合させると、位置決め凹部６２と位置決め凸部６３とが係合して、ケース本体３８に対してケース蓋３９を位置決めする。なお、ケース本体３８に位置決め凸部６３を、ケース蓋３９に位置決め凹部６２を夫々設けても良い。
【００４０】
図１４及び図１５は本発明の第４の実施形態を例示する。この実施形態では、ケース蓋３９をケース本体３８に装着した状態で封止する封止ピン式の複数個の封止手段６６が設けられている。封止手段６６は、その一部を損壊して開封するようになっており、開封後に他の封止手段６６で封止すれば、前の封止手段６６側に損壊痕が残るように構成されている。
【００４１】
各封止手段６６は、封止ピン６７と、ケース蓋３９（又はケース本体３８）側に設けられ且つ封止ピン６７を保持する保持部６８と、ケース本体３８（又はケース蓋３９）側に設けられ且つ封止ピン６７が離脱不能に係合する受け部６９と、保持部６８（又は受け部６９）とケース蓋３９（又はケース本体３８）との間に設けられた開封用の損壊部７０とを備えている。
【００４２】
封止ピン６７は頭部７１と係合部７２とを有する。保持部６８は有底状であり、その底部７３側に封止ピン６７が挿通されている。受け部６９は、ケース本体３８の開口部３７側の突出部７４に形成され、保持部６８と反対側が閉鎖されている。受け部６９内には、封止時に封止ピン６７の係合部７２が係合する係止部７５が中間に形成されている。損壊部７０は、工具等で容易に損壊できるように括れ状になっている。他の構成は、第１の実施形態と同様である。
【００４３】
封止ピン６７は、頭部７１が分離可能に保持部６８に連結されており、通常、図１５に仮想線で示すように保持部６８内に保持されている。ケース蓋３９をケース本体３８に装着した後、何れかの封止手段６６を使用して閉状態に封止する。この場合には、封止ピン６７を受け部６９側に押圧すると、その頭部７１が保持部６８から分離して押し込まれ、封止ピン６７の係合部７２が受け部６９の係止部７５に係合し、これによって離脱不能に封止できる。
【００４４】
開封する場合には、損壊部７０を工具等で切断して損壊すると、保持部６８がケース蓋３９から分離して、封止ピン６７により受け部６９側に結合した状態で残るので、ケース蓋３９をケース本体３８から分離できる。また損壊部７０に損壊痕が残るため、不正に開封しても、その損壊痕で容易に発見できる。再度、封止する場合には、他の封止手段６６を利用して封止する。
【００４５】
以上、本発明の各実施形態について詳述したが、本発明はこの実施形態に限定されるものではなく、本発明の趣旨を逸脱しない範囲で種々の変更が可能である。例えば、各実施形態では、電源基板３３を収納する電源基板ケース３４に採用した場合を例示しているが、本発明は、基板と基板ケースとの相対的構造に関するものであって、電源基板ケース３４に限定されるものではなく、主制御基板ケース２５、ランプ制御基板ケース２７、音声制御基板ケース２９、払い出し制御基板ケース３２等とその内部の主制御基板２４、ランプ制御基板２６、音声制御基板２８、払い出し制御基板３１との関係でも同様に実施可能である。またその基板ケース等は、パチンコ機、アレンジボール機、雀球遊技機等の弾球遊技機の他、回胴式遊技機等の各種の遊技機に使用するものであっても良い。
【００４６】
ケース本体３８とケース蓋３９の固定手段は、ネジ等によるネジ式、被係合部６０と係合部６１とを含む係合式等を利用しても良いし、その他のものを利用しても良い。係合手段を利用する場合には、その被係合部６０と係合部６１は、ケース本体３８とケース蓋３９との何れに設けても良い。ケース本体３８、ケース蓋３９の形状、構造は、その基板ケースの用途、装着箇所に応じて適宜変更可能である。封止手段６６は、他の構造でも良い。
【００４７】
またケース蓋３９は、ケース本体３８の開口部３７側を着脱自在に塞ぐものであれば良く、各実施形態に例示のように必ずしもケース本体３８の開口部３７内に内嵌させる必要はなく、ケース本体３８の開口部３７側の外側に外嵌させるようにしても良い。基板ケースを遊技機の所要箇所に着脱自在に装着する場合の装着手段は、自在に選択すれば良い。
【００４８】
【発明の効果】
本発明によれば、基板ケース３４内に、電気部品４０，４１が装着された基板３３を収納してなる遊技機において、基板ケース３４は、基板３３の一端側に対応する開口部３７が形成された箱状のケース本体３８と、該ケース本体３８の開口部３７側に着脱自在に装着されたケース蓋３９とを備え、開口部３７からケース本体３８にその板面方向に挿入される基板３３にコネクタ４１を設け、ケース本体３８に、該ケース本体３８内の基板３３のコネクタ４１が基板３３の板厚方向から嵌脱自在に嵌合する開口５０を設け、ケース本体３８内に、基板３３の挿入時に該基板３３の裏側に対向する裏板部４３から該基板３３を離間させて案内する案内部５２と、ケース本体３８内に挿入された基板３３の開口部３７と反対側の端部を挟んで固定する挟持部５３と、案内部５２と挟持部５３との間に配置され且つ基板３３の挿入時にコネクタ４１が開口５０に嵌合するように基板３３の反対側の端部を案内する傾斜案内部５４とを設け、ケース蓋３９に、該ケース蓋３９のケース本体３８への装着時に基板３３の端部を挟んでコネクタ４１が開口５０に嵌合した状態で基板３３を固定する保持部５７ａを設けているので、ケース本体３８側の開口部３７を小さくできると共に、基板３３の挿入時にその裏側に突出する電気部品のピン４１ａ等の突起がケース本体３８に接触することもなく、基板３３をケース本体３８に容易に挿入できる。
【図面の簡単な説明】
【図１】本発明の第１の実施形態を示す弾球遊技機の正面図である。
【図２】本発明の第１の実施形態を示す弾球遊技機の背面図である。
【図３】本発明の第１の実施形態を示す電源基板ケースの背面図である。
【図４】図３のＸ−Ｘ線断面図である。
【図５】図３のＹ−Ｙ線断面図である。
【図６】図３のＺ−Ｚ線断面図である。
【図７】本発明の第１の実施形態を示す電源基板ケースの分解斜視図である。
【図８】本発明の第１の実施形態を示すケース蓋の斜視図である。
【図９】本発明の第１の実施形態を示す組み立て過程の断面図である。
【図１０】本発明の第２の実施形態を示す電源基板ケースの断面図である。
【図１１】本発明の第２の実施形態を示す電源基板ケースの斜視図である。
【図１２】本発明の第３の実施形態を示す電源基板ケースの断面図である。
【図１３】本発明の第３の実施形態を示す電源基板ケースの斜視図である。
【図１４】本発明の第４の実施形態を示す封止手段の斜視図である。
【図１５】本発明の第４の実施形態を示す封止手段の拡大断面図である。
【符号の説明】
３３  電源基板
３４  電源基板ケース
３７  開口部
３８  ケース本体
３９  ケース蓋
４０  電気部品
４１  コネクタ
４３  裏板部
５０  開口
５２  案内部
６０  被係合部
６１  係合部
６２  位置決め凹部
６３  位置決め凸部
６７  係止ピン
【図１】
0003860723.tif 000002
【図２】
0003860723.tif 000003
【図３】
0003860723.tif 000004
【図４】
0003860723.tif 000005
【図５】
0003860723.tif 000006
【図６】
0003860723.tif 000007
【図７】
0003860723.tif 000008
【図８】
0003860723.tif 000009
【図９】
0003860723.tif 000010
【図１０】
0003860723.tif 000011
【図１１】
0003860723.tif 000012
【図１２】
0003860723.tif 000013
【図１３】
0003860723.tif 000014
【図１４】
0003860723.tif 000015
【図１５】
0003860723.tif 000016